(57)【要約】【課題】本発明は、光透過性立体構造編地からなる編地シート体を用いて遮蔽効果を有するとともに視認性を確保した車両用内装具を提供することを目的とするものである。【解決手段】車両用内装具であるトノカバー１は、格子状に形成された一対の地組織及び当該地組織の編目列の間に交互に連結糸を経方向に編み込んで面状に形成され緯方向に所定間隔空けて配列された複数の遮光層を有する編地シート体１０と、編地シート体１０の少なくとも編目列に沿う全幅にわたって保持するように固定された支持体１１及び１２とを備え、支持体１１及び１２を車両内部に取り付けて編地シート体１０が張設された状態において編地シート体１０の編目列が直線状に配列されるとともに遮光層が所定の傾斜角度に設定されている。【選択図】図１
2011231598.tif 000002
【特許請求の範囲】
【請求項１】
経方向に鎖編により編成される複数の編目列を緯方向に所定間隔空けて配列し隣接する編目列の間に一対の挿入糸を互いに交差するように緯方向に振りながら掛け渡して経方向の編目列及び緯方向の挿入糸により格子状に形成された一対の地組織及び当該地組織の編目列の間に交互に連結糸を経方向に編み込んで面状に形成され緯方向に所定間隔空けて配列された複数の遮光層を有する編地シート体と、前記編地シート体の少なくとも前記編目列に沿う全幅にわたって保持するように固定された支持体とを備え、前記支持体を車両内部に取り付けて前記編地シート体が張設された状態において前記編地シート体の前記編目列が直線状に配列されて前記遮光層が所定の傾斜角度に設定されることで所定方向の入射光に対する遮光性及び通気性を有することを特徴とする車両用内装具。
【請求項２】
前記支持体は、前記編地シート体の前記編目列と直交する方向の両側に前記編目列に沿って固定されるとともに車両内部の後部座席の後方スペースを前記編地シート体で覆うように車両内部に取り付けられることを特徴とする請求項１に記載の車両用内装具。
【請求項３】
前記支持体は、前記編地シート体の周囲を保持するように枠状に形成されるとともに車両内部の窓部に対向する位置に取り付けられることを特徴とする請求項１に記載の車両用内装具。
【発明の詳細な説明】
【技術分野】
【０００１】
本発明は、自動車等の車内に設置されるトノカバーやサンシェード等の内装具に関する。
【背景技術】
【０００２】
従来より、自動車等の車内に取り付けられる内装具としてトノカバーやサンシェード等が用いられている。例えば、特許文献１では、自動車のリヤーシート後方の荷物室を遮蔽するために巻取り式のトノカバーを着脱可能に取り付ける点が記載されており、巻取り式トノカバーは上方に引き出して車内空間の間仕切り用スクリーン又は遮光用サンシェードとして使用可能とした点についても記載されている。また、特許文献２では、トノボードを伸縮自在なシート体で形成し、シートバックの被係止部材に着脱可能に係止して張設した点が記載されている。また、特許文献３では、メッシュ状の素材を用いたシート状のメインカバーの周囲に外周ワイヤ及びレザーを一体形成して、トノカバー又はサンシェードとして使用する点が記載されている。
【０００３】
なお、本発明者は、ブラインド等に用いる遮光用素材として、表地、裏地及び遮光層からなり、全体の構成糸を樹脂加工により固着させて表地と裏地との間が所定間隔空けて保持されるように成形された光透過性シート材を開発している（特許文献４参照）。
【先行技術文献】
【特許文献】
【０００４】
【特許文献１】特開平８−８５３９０号公報
【特許文献２】特開平１１−５９２７７号公報
【特許文献３】特開平１１−１２９８１６号公報
【特許文献４】特許第４０７４８８４号公報
【発明の概要】
【発明が解決しようとする課題】
【０００５】
特許文献１から３では、トノカバーやサンシェードとして伸縮性のある素材やメッシュ状の素材が用いられているが、メッシュ状の素材を用いた場合素材を通して荷物室内部を視認することができるものの遮蔽効果が低くなる課題がある。また、目の細かい伸縮性を有する編地等を用いた場合には、遮蔽効果が高くなるものの荷物室内部を確認したい場合にいちいちトノカバーを開く必要があり、自動車を運転中には確認しにくいといった課題がある。
【０００６】
そこで、本発明は、光透過性立体構造編地からなる編地シート体を用いて遮蔽効果を有するとともに視認性を確保した車両用内装具を提供することを目的とするものである。
【課題を解決するための手段】
【０００７】
本発明に係る車両用内装具は、経方向に鎖編により編成される複数の編目列を緯方向に所定間隔空けて配列し隣接する編目列の間に一対の挿入糸を互いに交差するように緯方向に振りながら掛け渡して経方向の編目列及び緯方向の挿入糸により格子状に形成された一対の地組織及び当該地組織の編目列の間に交互に連結糸を経方向に編み込んで面状に形成され緯方向に所定間隔空けて配列された複数の遮光層を有する編地シート体と、前記編地シート体の少なくとも前記編目列に沿う全幅にわたって保持するように固定された支持体とを備え、前記支持体を車両内部に取り付けて前記編地シート体が張設された状態において前記編地シート体の前記編目列が直線状に配列されて前記遮光層が所定の傾斜角度に設定されることで所定方向の入射光に対する遮光性及び通気性を有することを特徴とする。さらに、前記支持体は、前記編地シート体の前記編目列と直交する方向の両側に前記編目列に沿って固定されるとともに車両内部の後部座席の後方スペースを前記編地シート体で覆うように車両内部に取り付けられることを特徴とする。さらに、前記支持体は、前記編地シート体の周囲を保持するように枠状に形成されるとともに車両内部の窓部に対向する位置に取り付けられることを特徴とする。
【発明の効果】
【０００８】
上記のような構成を有することで、編地シート体を、経方向に鎖編により編成される複数の編目列を緯方向に所定間隔空けて配列し隣接する編目列の間に一対の挿入糸を互いに交差するように緯方向に振りながら掛け渡して経方向の編目列及び緯方向の挿入糸により格子状に形成された一対の地組織と、当該地組織の編目列の間に交互に連結糸を経方向に編み込んで面状に形成され緯方向に所定間隔空けて配列された複数の遮光層とを有するように編成し、編地シート体が張設された状態において編地シート体の編目列が直線状に配列されるとともに遮光層が所定の傾斜角度に設定されるようにしているので、遮光層に直交する方向から入射する光に対しては遮蔽効果があり、遮光層に沿う方向からは光が透過して視認性を有するようになる。そのため、車両外部の後方から入射する光の方向が編地シート体の遮光層に直交する方向となるように取り付けることで、光の遮蔽効果とともに車両内部を編地シート体を通して覗くことができなくなる視認遮断効果が得られる。一方、車両内部の後部座席から編地シート体を見る場合には、遮光層に沿う方向となるため、光が透過するとともに視認性を有し、編地シート体を通して車両内部に積載した荷物等を容易に確認することができるようになる。
【０００９】
また、一対の地組織を格子状に形成するとともに地組織の編目列の間に遮光層を所定間隔空けて配列しているので、十分な通気性を備えており、遮光層による遮光性を有しながら空気の流通を妨げることがない。
【図面の簡単な説明】
【００１０】
【図１】本発明に係る車両用内装具に関する平面図である。
【図２】図１のＡ−Ａ断面図である。
【図３】編地シート体に関する部分拡大斜視図である。
【図４】編地シート体に関する部分拡大平面図である。
【図５】トノカバーを車両の内部に取り付けた状態を示す説明図である。
【図６】トノカバーを取り付けた状態での遮蔽性及び視認性に関する説明図である。
【図７】編地シート体の地組織の編組織を示す模式図である。
【図８】編地シート体を編成するための光透過性立体構造編地に関する編組織図である。
【図９】図８で示すように編成された光透過性立体構造編地Ｆを形態安定させるための工程に関する説明図である。
【図１０】トノカバーの変形例に関する平面図である。
【図１１】別の車両用内装具に関する平面図である。
【図１２】サンシェードを車両内部に取り付けた状態を示す説明図である。
【図１３】取り付けた状態のサンシェードに関する拡大断面図である。
【図１４】サンシェードを取り付けた状態を示す説明図である。
【図１５】図１４に示すサンシェードを操作した状態に関する説明図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、車両内部の荷物室等を覆うための車両用内装具に関する平面図である。この例では、車両用内装具は、自動車等の車両において後部座席の後方に配置される荷物室を上方から覆うもので、一般にトノカバーと称されているものである。トノカバー１は、編地シート体１０の両側に板状の支持体１１及び１２が固定されて構成されている。
【００１３】
図２は、図１のＡ−Ａ断面図である。編地シート体１０は、地組織１０１及び１０４並びに遮光層１０７からなり、全体の構成糸は、熱セット加工、樹脂加工等の形態安定加工が施されて地組織１０１及び１０４の間が所定間隔空けて保持されるようになっている。
【００１４】
図３は、編地シート体１０に関する部分拡大斜視図であり、図４は、編地シート体１０に関する部分拡大平面図である。一方の面側の地組織１０１は、経方向に鎖編により編成された編目列１０２が緯方向に所定間隔空けて配列されて隣接する編目列１０２に交互に所定長さずつ挿入糸１０３を編み込んで平面状に形成されている。したがって、地組織１０１は、経方向に直線状に延びる編目列１０２と、隣接する編目列１０２の間に緯方向に振られて掛け渡すように配列された挿入糸１０３とにより格子状に形成されている。
【００１５】
同様に、他方の面側の地組織１０４は、経方向に鎖編により編成された編目列１０５が緯方向に所定間隔空けて配列されて隣接する編目列１０５に交互に所定長さずつ挿入糸１０６を編み込んで平面状に形成されている。したがって、地組織１０４は、経方向に直線状に延びる編目列１０５と、隣接する編目列１０５の間に緯方向に振られて掛け渡すように配列された挿入糸１０６とにより格子状に形成されている。
【００１６】
そして、地組織１０１の編目列１０２は地組織１０４の編目列１０５に対向配置されており、正面から見て地組織１０１及び１０４は重なるように配置される。
【００１７】
遮光層１０７は、地組織１０１の編目列１０２と地組織１０４の編目列１０５との間に交互に連結糸を編み込んで経方向に面状に形成されており、複数の遮光層１０７が緯方向に互いに平行となるように配列されている。遮光層１０７を形成する連結糸は密に配列されて遮光性を持たせており、連結糸に捲縮糸等の嵩高性の糸を使用することで遮光性をより向上させることができる。
【００１８】
そして、遮光層１０７は、対向配置された地組織１０１の編目列１０２及び地組織１０４の編目列１０５から１つずれた位置の編目列の間を連結するようにされている。隣接する遮光層１０７の一方が対向配置された地組織１０１の編目列１０２に連結され、他方が対向配置された地組織１０４の編目列１０５に連結されている。そのため、図１に示す平面視（視線方向Ｓ１で示す）及び遮光層１０７に直交する角度（視線方向Ｓ２で示す）では遮光層１０７が全面に表出し、編地シート体１０の全面が遮光された状態になり、目隠しとしての遮蔽効果を有する。そして、遮光層１０７の面方向に沿った角度から見ると（視線方向Ｓ３で示す）、遮光層１０７の間から光が透過するようになり、遮光層１０７を通して荷物室内部を視認することができる。
【００１９】
支持体１１及び１２は、地組織１０１の編目列１０２及び地組織１０４の編目列１０５に沿うように編地シート体１０の両側に配置されて縫製及び接着等により固定されている。支持体１１及び１２は、編目列１０２及び１０５に沿って編地シート体１０の全幅にわたって取り付けられており、編地シート体１０とほぼ同じ厚さの板状に形成されている。支持体１１及び１２としては、例えば、板状の芯材を合成皮革又は合成樹脂シートで被覆したものを用いればよい。
【００２０】
支持体１１には、編地シート体１０との境目に一対のフック部材１３が取り付けられており、車両内部の係止部にフック部材１３を引っ掛けることで支持体１１を車両内部に取り付けることができる。また、支持体１２には、端部に二対のフック部材１４が取り付けられており、一対のフック部材１４をそれぞれ後部座席に引っ掛けることで支持体１２を取り付けることができる。
【００２１】
図５は、トノカバー１を車両Ｍの内部に取り付けた状態を示す説明図である。まず、後部座席Ｒに設けられたヘッドレストＨの下部に突出する一対の支持棒にフック部材１４を引っ掛けて支持体１２を取り付ける。そして、支持体１１を手で把持しながら後方に引張り、フック部材１３を車両Ｍの後部に設けられた係止金具に引っ掛けて、編地シート体１０をほぼ水平方向に張設した状態にしてトノカバー１を取り付ける。トノカバー１の後部座席の後方は荷物室Ｂとなっており、取り付けたトノカバー１は荷物室Ｂの上方を覆うように設定される。編地シート体１０は張設した状態に設定されるので、上面に傘、帽子、ボールといった軽量物を載置することができ、荷物室を２段に分けて収容スペースを増加させることができ、また壊れやすい物や頻繁に使用する物を分けて収容することが可能となる。
【００２２】
図６は、トノカバー１を取り付けた状態での遮蔽性及び視認性に関する説明図である。編地シート体１０の遮光層を、図４に示すように、前方側に向かって上方に傾斜するように取り付けることで、後方の窓部Ｍ１から入射する光（点線の矢印で表示）は、遮光層に直交する方向に入射するようになるため遮光されて荷物室内部に入射することはなくなる。また、車両Ｍの外部から荷物室内部を覗こうとする場合、遮光層により視線が遮られるため内部に収容された荷物を視認することは難しく防犯上好ましい。一方、後部座席側から編地シート体１０を見ると、視線方向が遮光層にほぼ沿うようになるので、光が透過するようになり、荷物室内部を容易に視認することができるようになる。
【００２３】
また、編地シート体１０は、遮光層の間に空隙が形成されているので、空気の流通を妨げることがなく良好な通気性を備えている。
【００２４】
以上のとおり、本発明によれば、遮蔽効果及び良好な視認性並びに通気性を兼備した車両用内装具を得ることができる。
【００２５】
図７は、編地シート体１０の地組織１０１の編組織を示す模式図である。隣接する編目列１０２の間には、一対の挿入糸１０３ａ及び１０３ｂが緯方向に振られながら所定の長さずつ交互に編目列１０２に編み込まれており、経方向の編目列１０２及び緯方向の挿入糸１０３により格子状に編成されている。一対の挿入糸１０３ａ及び１０３ｂは、緯方向に互いに逆方向に振られて編目列１０２の間で互いに交差するようにされているため、経方向の編目列１０２には挿入糸１０３ａ及び１０３ｂが二重に編み込まれるとともに緯方向に挿入糸１０３が交差するように二重に掛け渡されるので、編地全体の強度を向上させて保形性を高め、地組織１０１の光透過性が確保されるようになっている。地組織１０４についても、地組織１０１と同様の編組織を備えている。
【００２６】
図８は、編地シート体１０を編成するための光透過性立体構造編地に関する編組織図である。Ｌ１及びＬ２は地組織１０１の挿入糸１０３であり、Ｌ３は鎖編により編成される地組織１０１の編目列１０２である。図示されるように、一対の挿入糸１０３であるＬ１及びＬ２が隣接する編目列１０２に所定長さずつ交互に編み込まれ、隣接する編目列１０２の間で交差するように掛け渡される。
【００２７】
Ｌ４及びＬ５は両端の耳部を編成するための編成糸であり、後述するように、形態安定工程で編成された編地の両端を搬送ピンに固定して張設するために用いられる。Ｌ６は連結糸であり、編目列１０２及び１０５の編目に交互に編み込まれる。
【００２８】
Ｌ７は鎖編により編成される地組織１０４の編目列１０５であり、Ｌ８及びＬ９は地組織１０４の挿入糸１０６である。地組織１０１と同様に一対の挿入糸１０６であるＬ８及びＬ９は隣接する編目列１０５に所定長さずつ交互に編み込まれ、隣接する編目列１０５の間で交差するように掛け渡されている。
【００２９】
地組織１０１及び１０４の編成糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維を用いることができ、長繊維糸又は紡績糸のいずれであってもよく、特に限定されない。
【００３０】
連結糸としては、ポリエチレンテレフタレートに代表されるポリエステル系合成繊維、ナイロンに代表される脂肪族ポリアミド系合成繊維等の合成繊維を用いた捲縮糸といった嵩高性の糸が好ましい。こうした糸を用いることで、遮光層として面状に編成した場合に糸の間の隙間がなくなって遮光性を向上させることができる。
【００３１】
図９は、図８で示すように編成された光透過性立体構造編地Ｆを形態安定させるための工程に関する説明図である。編地は必要に応じて染色及び精錬しておく。そして、編成された編地をローラにより搬送して、樹脂液を貯留する液槽２００内に搬入し編地に樹脂材料を含浸させる。含浸させる樹脂材料としては、アクリル系樹脂、ウレタン系樹脂、ポリエステル系樹脂、シリコン系樹脂、メラミン系樹脂等が好ましい。
【００３２】
含浸された編地を絞りローラ２０１により挟圧して余分な樹脂液を絞り取り、乾燥機２０２内に搬入する。乾燥機２０２では編地の両側端の耳部をピンに掛けて張設した状態で乾燥させる。乾燥工程では、１５０℃で２〜３分乾燥させるのがよい。編地の両側端を引張して張設状態で乾燥させるので、隣接する編目列の間に交差するように掛け渡された挿入糸が緊張状態となって地組織の編目列が経方向に直線状に延び緯方向に挿入糸が直線状に延びて格子状に形成されるとともに一対の地組織が所定間隔を空けて保持された状態で形態安定加工される。
【００３３】
形態安定加工としては、上述した樹脂加工の他に熱セット加工を用いてもよい。熱セット加工の場合には、編地を張設した状態で編地全体を加熱して公知の熱セット処理を行えばよい。
【００３４】
図１０は、上述したトノカバー１の変形例に関する平面図である。この例では、編地シート体１０及び支持体１１の境界部分に沿ってファスナー１５が取り付けられており、編地シート体１０及び支持体１２の境界部分にも同様にファスナー１６が取り付けられている。そして、トノカバー１を張設した状態でファスナー１５又は１６を開閉することで、トノカバー１を張設した状態のままで荷物室内部に手を挿し込んで物品の出し入れをすることができる。
【００３５】
図１１は、別の車両用内装具に関する平面図である。この例では、車両用内装具は、車両Ｍの上部開口に設けられたサンルーフＭ２に対向配置されるサンシェード１７である。サンシェード１７は、矩形状の枠体１９の内側に編地シート体１０と同様の編地シート体１８が張設されている。図１２は、サンシェード１７を車両内部に取り付けた状態を示す説明図である。枠体１９は、車両内部の天井部分に着脱可能に取り付けられており、編地シート体１８がサンルーフＭ２に対向配置されるように設定されている。
【００３６】
図１３は、取り付けた状態のサンシェード１７に関する拡大断面図である。サンシェード１７は、編地シート体１８の遮光層が車両前方側にいくに従い上方に傾斜するように取り付けられており、運転中に発生する前方からの風がスムーズに編地シート体１８を通過して車両内部に導入される。また、車両後方からサンルーフＭ２に入射する直射日光に対しては遮光層により遮蔽されるようになる。したがって、通気性及び遮光性が良好なサンシェードを得ることができる。また、サンシェードを二重に配置してそれぞれの編地シート体の遮光層の傾斜方向を反対方向とすることで通気性を維持したまま遮光効果を高めることもできる。
【００３７】
こうしたサンシェード１７は、車両側面部の窓部に着脱可能に取り付けてもよい。その場合には、編地シート体１８の遮光層が車両前方側にいくに従い外方に傾斜するように取り付ければ、窓を開いた場合に前方からの風をスムーズに車両内部に導入することができる。また、遮光層を上方にいくに従い内側に傾斜するように取り付ければ、高い遮光効果を得ることができる。
【００３８】
図１４は、車両のフロントガラスＭ３の内側において運転席の上部にサンシェード２０を回動可能に取り付けた場合を示す説明図である。サンシェード２０は、サンシェード１７と同様に編地シート体２１を枠体２２に張設して構成されており、従来のサンシェードと同様に上端部が回動軸体に軸支されて上下に回動可能に取り付けられている。
【００３９】
図１５は、サンシェード２０を操作した状態に関する説明図である。図１５（ａ）に示すように、サンシェード２０を車両内部の天井に沿うように収納した状態で前方から直射日光が入射する場合には、図１５（ｂ）に示すように、フロントガラス側にサンシェード２０を回動させて設置すると、直射日光は遮光層により遮られるようになる。また、上方から直射日光が入射する場合には、図１５（ｃ）に示すように、フロントガラスに沿うようにサンシェード２０を回動させて設置すれば、編地シート体２１により直射日光を遮光するとともに遮光層の間から運転者は外部の状況を視認することができ、直射日光を避けながら良好な視界を得ることが可能となる。
【符号の説明】
【００４０】
Ｆ    光透過性立体構造編地
Ｍ    車両
１    トノカバー
10    編地シート体
11    支持体
12    支持体
13    フック部材
14    フック部材
15    ファスナー
16    ファスナー
17    サンシェード
18    編地シート体
19    枠体
20    サンシェード
21    編地シート体
22    枠体
101   地組織
102   編目列
103   挿入糸
104   地組織
105   編目列
106   挿入糸
107   遮光層
【図１】
2011231598.tif 000003
【図２】
2011231598.tif 000004
【図３】
2011231598.tif 000005
【図４】
2011231598.tif 000006
【図５】
2011231598.tif 000007
【図６】
2011231598.tif 000008
【図７】
2011231598.tif 000009
【図８】
2011231598.tif 000010
【図９】
2011231598.tif 000011
【図１０】
2011231598.tif 000012
【図１１】
2011231598.tif 000013
【図１２】
2011231598.tif 000014
【図１３】
2011231598.tif 000015
【図１４】
2011231598.tif 000016
【図１５】
2011231598.tif 000017